(57)【特許請求の範囲】
【請求項１】
ベッド側面側に、一対の回動基部を介して一端側を回動自在に取り付けた一対の支柱部材と、前記一対の回動基部を、回動基部にそれぞれ突設した基部片を介し、連動杆により連動可能に連結し、前記支柱部材の他端側にそれぞれ柵部を回動可能に連結すると共に、前記他端側に近接して、前記一端側の回動基部から他端側の柵部取付箇所にかけての距離と等距離の位置に、柵部と支柱部材とを拘束／拘束解除可能に構成した第１の拘束手段を設け、この第１拘束手段に隣接して、第１拘束手段の拘束／拘束解除作用を阻止する第２の拘束手段を設けたことを特徴とする不測のロック解除防止機能を有するベッドにおける側柵装置。
【請求項２】
前記第１拘束手段は、側柵側に保持した基枠と基枠内に基枠に直交するように配置して、付勢手段により突没可能に支持したストッパピンと、支柱部材側に形成した前記ストッパピンを係脱可能に嵌入してなる保持穴とを備え、前記第２拘束手段は、前記第１拘束手段の基枠に隣接して側柵に回動可能に取り付けたストッパレバーを有し、このストッパレバーを前記第１拘束手段におけるストッパピンをカバーする位置に持ち来たすことで、第１拘束手段の拘束／拘束解除作用を阻止する構成としたことを特徴とする請求項１記載の不測のロック解除防止機能を有するベッドにおける側柵装置。
【発明の詳細な説明】
【０００１】
【発明の属する技術分野】
本発明は、ベッドの側面側において、昇降可能に装着した側柵装置の柵部を、ボトム上方に保持した際に、柵部の保持状態が不可抗力により解除されないようにした、不測のロック解除防止機能を有するベッドにおける側柵装置に関するものである。
【０００２】
【従来の技術】
従来より、ベッドの側面には、様々な機能の側柵を装着して、患者保持、マットレス、布団などの落下防止に役立てられている。
かかる側柵のうち、使用していないときは、ボトム下に保持しておき、使用の際にボトム上方に柵部を突出保持させる機能の昇降型側柵装置が製品化されている。この昇降型側柵装置では、柵部を支持する支柱部材と、柵部間に設けた拘束手段を作用させて、柵部をボトム上に保持するようにしている。
【０００３】
【発明が解決しようとする課題】
しかしながら、前記拘束手段は、取り扱い性の観点から、簡単に拘束解除となる機構のものが多く、うっかり手などを触れたことにより解除されるおそれがあり、柵部が急激にボトム下に落ち込むようなことになり、危険である。
本発明は、このような課題を改善するために提案されたものであって、ベッドの側面側において、昇降可能に装着した側柵装置の柵部を、ボトム上方に保持した際に、柵部の保持状態が不可抗力により解除されないようにした、不測のロック解除防止機能を有するベッドにおける側柵装置を提供することを目的とする。
【０００４】
【課題を解決するための手段】
前記した課題を解決するために、本発明では、請求項１において、ベッド側面側に、一対の回動基部を介して一端側を回動自在に取り付けた一対の支柱部材と、前記一対の回動基部を、回動基部にそれぞれ突設した基部片を介し、連動杆により連動可能に連結し、前記支柱部材の他端側にそれぞれ柵部を回動可能に連結すると共に、前記他端側に近接して、前記一端側の回動基部から他端側の柵部取付箇所にかけての距離と等距離の位置に、柵部と支柱部材とを拘束／拘束解除可能に構成した第１の拘束手段を設け、この第１拘束手段に隣接して、第１拘束手段の拘束／拘束解除作用を阻止する第２の拘束手段を設けた不測のロック解除防止機能を有するベッドにおける側柵装置を提案する。
また本発明では、請求項２において、前記第１拘束手段は、側柵側に保持した基枠と基枠内に基枠に直交するように配置して、付勢手段により突没可能に支持したストッパピンと、支柱部材側に形成した前記ストッパピンを係脱可能に嵌入してなる保持穴とを備え、前記第２拘束手段は、前記第１拘束手段の基枠に隣接して側柵に回動可能に取り付けたストッパレバーを有し、このストッパレバーを前記第１拘束手段におけるストッパピンをカバーする位置に持ち来たすことで、第１拘束手段の拘束／拘束解除作用を阻止する構成とした不測のロック解除防止機能を有するベッドにおける側柵装置を提案する。
【０００５】
請求項１によれば、柵部を引き上げていくことにより、一対の支柱部材が一端側の回動基部中心に回動して平行リンク動作を行い、柵部をボトム上にもたらすことができる。すると、前記支柱部材の他端側に柵部側の第１拘束手段がもたらされて、柵部と支柱部材とはその位置に保持される。次いで、第１拘束手段に隣接する第２拘束手段を操作して、前記第１拘束手段の拘束／拘束解除作用を阻止するようにする。
【０００６】
請求項２によれば、柵部を一対の支柱部材と共に、ボトム上にもたらすと、側柵側の基枠に配置したストッパピンの位置と支柱部材側の保持穴が一致し、前記ストッパピンが付勢手段により保持穴に係止して、柵部と支柱部材とをその場で拘束することができる。次いで、第２拘束手段におけるストッパレバーを回動させて、このストッパレバーを前記ストッパピンをカバーする位置に持ち来たすことで、ストッパピンの動きを封じることができる。
【０００７】
【発明の実施の形態】
次に、本発明にかかる不測のロック解除防止機能を有するベッドにおける側柵装置について、一つの実施の形態を示し、添付の図面に基づいて以下説明する。
図１において、ベッド１の側面側に、本発明にかかる昇降型の側柵装置２を配設したところを示す。このベッド１は、図示するように病院用ベッドでも在宅用ベッドでもよく、また、ボトムを分割して可動型としたギャッチベッドでもよく、フラットなボトムのベッドでもよい。
この場合、図示するベッド１は、病院用ギャッチベッドであり、台車３上のメインフレーム４に、ボトム調節機構（省略）を介して、分割形成されたボトム５を支える構成としている。
前記ボトム５は、例えば背に対応する背ボトム５ａと、腰に対応する腰ボトム５ｂと、膝に対応する膝ボトム５ｃと、足に対応する足ボトム（図示省略）とを有し、前記背ボトム５ａと足ボトムに前記側柵装置２を装着している。
【０００８】
次に、前記背ボトム５ａ側に装着される側柵装置２について説明する。
すなわち側柵装置２は、前記背ボトム５ａ側端側に、一対の回動基部６，６を介して一端側を回動自在に取り付けた一対の支柱部材７，７と、前記一対の回動基部６，６を、回動基部６，６にそれぞれ突設した基部片８，８を介し、連動杆９により連動可能に連結し、前記支柱部材７，７の他端側にそれぞれ柵部１０を回動可能に連結する構成としている。
【０００９】
前記回動基部６は、前記支柱部材７一端側と一体的に結合した円筒部材で、前記背ボトム５ａ側端内側から回動自在に挿通した段付ボルトｂによって、背ボトム５ａ側端に対し、回動自在に取り付けている（図３参照）。また前記回動基部６には、前記基部片８を一体的に固設している。
【００１０】
前記支柱部材７は、略二等辺三角形状の板部材で、前記回動基部６を固設した他端側を頂点近傍とし、一端側の二頂点近傍の一つに後述する柵部１０を回動可能に軸止めし、残りの一頂点近傍に、後述する第１拘束手段における保持穴１１を形成している。
【００１１】
前記連動杆９と基部片８，８とは、回動自在に連結され、双方の支柱部材７，７が互いに平行に同角度、同時、同周り方向に変位させるようにしている。
【００１２】
また、前記柵部１０は、パイプ材によって構成したもので、平行四辺形、且つループ状の角形外パイプ１０ａと、横桟状に平行に配設した内パイプ１０ｂ，１０ｂによって構成としている。
【００１３】
そして、前記支柱部材７，７のうち、一つの支柱部材７の一端側の一頂点近傍の保持穴１１に係脱可能な第１拘束手段１２を、柵部１０における角形外パイプ１０ａの下部水平箇所に設けている。また、この第１拘束手段１２には、第１拘束手段１２に隣接して、第１拘束手段１２の拘束／拘束解除作用を阻止する第２の拘束手段１３を設けている（図２参照）。
【００１４】
前記第１拘束手段１２は、柵部１０における角形外パイプ１０ａの下部水平箇所に外側から嵌着した断面コ型形状の基枠１４と、基枠１４内に基枠１４に直交するように前記角形外パイプ１０ａに貫通した円筒状ガイド体１５と、このガイド体１５に、コイルスプリング１６により突没可能に支持したストッパピン１７とを有している（図４参照）。
前記基枠１４の外側には、前記第２拘束手段１３におけるストッパレバーを（後述）もたらすための段差部１８が刻設されており、この段差部１８とガイド体１５底面には、前記ストッパピン１７を突没可能な挿通穴１４ｈ，１５ｈを形成している。
そして前記ストッパピン１７は、末端側に前記挿通穴１４ｈ，１５ｈの径に比較して小なねじ部１７ｓと中間から先端側にかけて、挿通穴１４ｈ，１５ｈに比較して若干小径の軸部１７ａとを有し、軸部１７ａ先端側近傍にコイルスプリング１６の一端側を当接可能とした、円筒状ガイド体１５内径とほぼ同径のフランジ部１７ｆを設けている。前記末端側のねじ部１７ｓに、前記挿通穴１４ｈ，１５ｈを介して基枠１４外側の段差部１８から、挿通穴１４ｈを介してナット部材１９を螺着している。このナット部材１９は、軸部１９ａの径をストッパピン１７の軸部１７ａの径と同寸法としている。
さらに、前記ストッパピン１７の先端側は、前記支柱部材７の一端側の一頂点近傍の保持穴１１に係脱可能に保持穴１１に指向させている（図５参照）。
【００１５】
次に、前記第２拘束手段は、前記第１拘束手段１２の基枠１４に隣接して柵部１０における角形外パイプ１０ａの下部水平箇所に回動可能に取り付けたストッパレバー２０を有している。
このストッパレバー２０は、前記外パイプ１０ａに段付ボルト２１によって回動可能に取り付けた基部２０ｂと、前記第１拘束手段１２における基枠１４外側の段差部１８をカバーすべき先端部２０ｆで構成している（図６参照）。
【００１６】
以上のような側柵装置２において、ボトム５上方に、柵部１０を引き上げていくことにより、一対の支柱部材７，７が一端側の回動基部６，６中心に回動して平行リンク動作を行い、柵部１０をボトム５上にもたらすことができる。
すると、柵部１０における角形外パイプ１０ａに設けた基枠１４のストッパピン１７の位置に支柱部材７，７側の保持穴１１が持ち来たされるので、前記ストッパピン１７がコイルスプリング１６により保持穴１１に係止して、柵部１０と支柱部材７，７とをその場で拘束することができる（図２参照）。なお、この状態においては、ストッパピン１７は、基枠１４内に配置した円筒状ガイド体１５における挿通穴１５ｈ、基枠１４の挿通穴１４ｈを介して基枠１４外側の段差部１８から、ストッパピン１７に螺着したナット部材１９が突没可能に露出している。
【００１７】
次いで、第１拘束手段１２に隣接する第２拘束手段１３であるストッパレバー２０を回動操作して、前記ストッパピン１７における先端部２０ｆを、前記基枠１４外側の段差部１８におけるナット部材１９をカバーする位置に持ち来たすことで、ストッパピン１７の動きを封じることができる（図７参照）。
【００１８】
【発明の効果】
本発明によれば、ボトム上方に、支柱部材と共に柵部を第１拘束手段により保持した状態で、第２拘束手段を操作して、前記第１拘束手段の動作を封じることで、第２拘束手段を解除操作しない限り、前記第１拘束手段が解除されることはなく、柵部が不意にボトム下に落ち込んでしまうようなことはないので、安全性の高い、側柵装置として提供することができる。
【００１９】
【図面の簡単な説明】
【図１】  本発明にかかる側柵装置を装着したベッドの一例を示す、要部側面図である。
【図２】  図１に示す側柵装置の機能を説明する、拡大側面図である。
【図３】  図１に示す側柵装置の取付位置、取付機構を示した正面説明図である。
【図４】  図１に示す側柵装置における柵部の第１拘束手段および第２拘束手段の拡大的分解斜視説明図である。
【図５】  図４において、Ａ−Ａ線に沿って切断して見た、第１拘束手段の切断矢視図である。
【図６】  図４において、Ｂ−Ｂ線に沿って切断して見た、第２拘束手段の切断矢視図である。
【図７】  図１に示す側柵装置における柵部の第１拘束手段および第２拘束手段の作用説明図である。
【符号の説明】
１                          ベッド
２                          側柵装置
３                          台車
４                          メインフレーム
５                          ボトム
５ａ                        背ボトム
５ｂ                        腰ボトム
５ｃ                        膝ボトム
６                          回動基部
７                          支柱部材
８                          基部片
９                          連動杆
１０                        柵部
１０ａ                      角形外パイプ
１０ｂ                      内パイプ
１１                        保持穴
１２                        第１拘束手段
１３                        第２拘束手段
１４                        基枠
１４ｈ，１５ｈ              挿通穴
１５                        ガイド体
１６                        コイルスプリング
１７                        ストッパピン
１７ａ                      軸部
１７ｓ                      ねじ部
１７ｆ                      フランジ部
１８                        段差部
１９                        ナット部材
１９ａ                      軸部
２０                        ストッパレバー
２０ｂ                      基部
２０ｆ                      先端部
２１，ｂ                    段付ボルト
【図１】
0003651791.tif 000002
【図２】
0003651791.tif 000003
【図３】
0003651791.tif 000004
【図４】
0003651791.tif 000005
【図５】
0003651791.tif 000006
【図６】
0003651791.tif 000007
【図７】
0003651791.tif 000008